(57)【要約】【課題】外部の表示装置に出力する各種の映像のうち少なくとも映像形式を設定するためのメニュー映像が表示できない表示不可状態をできる限り回避することのできる映像出力装置を提供すること。【解決手段】ステップＳ６において再生映像の映像形式が変更されたとしても，ステップＳ３におけるメユー映像の出力は，前記ステップＳ６において変更された後の再生映像の映像形式にかかわらず，予め固定で設定された１１２５ｉの映像形式で常に出力される。【選択図】図２
2007124560.tif 000002
【特許請求の範囲】
【請求項１】
予め設定された映像形式で外部の表示装置に各種の映像を出力する映像出力装置であって，
前記各種の映像のうち少なくとも前記映像形式を設定するためのメニュー映像の映像形式が所定の映像形式に固定されてなることを特徴とする映像出力装置。
【請求項２】
ＨＤＭＩ規格，ＤＶＩ規格又はＤ端子規格に準拠した通信方式で前記表示装置に前記各種の映像を出力してなる請求項１に記載の映像出力装置。
【請求項３】
前記所定の映像形式が，前記通信方式に対応する標準的な映像形式である請求項２に記載の映像出力装置。
【発明の詳細な説明】
【技術分野】
【０００１】
本発明は，予め設定された映像形式で外部の表示装置に各種の映像を出力する映像出力装置に関し，特に，前記映像出力装置から出力される前記各種の映像の映像形式の設定に関するものである。
【背景技術】
【０００２】
従来，ＤＶＤやハードディスクに記憶された映像（以下「再生映像」という）をテレビジョン受像機やモニタ装置などの外部の表示装置に出力するＤＶＤレコーダーやハードディスクレコーダー等の映像出力装置では，前記表示装置に出力する映像の映像形式（フォーマット）の変更が可能であって，該映像形式は使用者の所望の映像形式に設定される。この映像形式の設定は，前記映像出力装置に設けられたメニューボタン等の操作により前記表示装置にメニュー映像を表示させた状態で使用者によって行なわれる。ここに，前記映像形式とは，例えば走査線数や走査方式（インターレース或いはプログレッシブ（ノンインターレース））などである。そして，前記映像形式が変更されると，前記再生映像や前記メニュー映像などの映像は，その変更された映像形式で前記映像出力装置から前記表示装置に出力される。
【０００３】
ところで，表示可能な映像の映像形式は表示装置の性能によって異なるため，前記映像出力装置では出力可能な映像形式であっても，その映像形式で入力された映像を前記表示装置で正常に表示することができない場合がある。特に，前記映像出力装置で出力可能な映像形式が多様化しつつある近年では，このような状況が起こりやすくなってきている。そして，この場合には，前記メニュー映像さえも前記表示装置に出力させることができないため，前記映像形式の変更が困難となる。
【０００４】
一方，特許文献１には，表示装置で表示可能な映像形式の種別を該表示装置から取得し，その種別をメニュー映像に表示することのできる映像出力装置が開示されている。これにより，使用者は，そのメニュー映像を参照することによって，前記映像出力装置から出力される映像の映像形式を，前記表示装置で表示可能な映像形式に設定することができる。
【特許文献１】特開２００５−１６７８９５号公報
【発明の開示】
【発明が解決しようとする課題】
【０００５】
しかしながら，前記特許文献１に記載されているように前記表示装置で表示可能な映像形式の種別を取得することが可能であっても，前記映像出力装置から出力される映像の映像形式が前記表示装置で表示することのできない映像形式である場合には，その取得した種別を表示するためのメニュー映像を前記表示装置に表示することができないため，前記映像形式の変更が困難であるという問題は依然として残存する。この問題は結局のところ，最小限必要なメニューの表示という機能についても，現在の映像出力装置ではまちまちの映像形式のもとで可能となる設定を各メーカーが採用していることに起因する。
従って，本発明は上記事情に鑑みてなされたものであり，その目的とするところは，外部の表示装置に出力する各種の映像のうち少なくとも映像形式を設定するためのメニュー映像が表示できない表示不可状態をできる限り回避することのできる映像出力装置を提供することにある。
【課題を解決するための手段】
【０００６】
上記目的を達成するために本発明は，予め設定された映像形式で外部の表示装置に各種の映像を出力する映像出力装置に適用されるものであって，前記各種の映像のうち少なくとも前記映像形式を設定するためのメニュー映像の映像形式が所定の映像形式に固定されてなることを特徴とする映像出力装置として構成される。
本発明によれば，前記メニュー映像の映像形式が前記所定の映像形式に固定されているため，該所定の映像形式の映像を表示可能な前記表示装置を当該映像出力装置に接続することにより，該表示装置で前記メニュー映像を確実に表示することができ，前記メニュー映像の表示不可状態をできる限り回避することができる。これにより，使用者は，例えば前記各種の映像のうち前記メニュー映像を除く再生映像などの映像形式を前記表示装置で表示できない映像形式に設定してしまった場合にも，前記表示装置に表示されたメニュー映像を参照しながらその再生映像などの映像形式を再度設定することができる。
なお，前記映像出力装置と前記表示装置との通信は，例えばＨＤＭＩ規格，ＤＶＩ規格又はＤ端子規格に準拠した通信方式に従って行われる。ここで，その通信方式各々に対応する標準的な映像形式があることは周知である。そこで，前記所定の映像形式は，前記通信方式に対応する標準的な映像形式に固定することが望ましい。
【発明の効果】
【０００７】
本発明によれば，前記メニュー映像の映像形式が前記所定の映像形式に固定されているため，該所定の映像形式の映像を表示可能な前記表示装置を当該映像出力装置に接続することにより，該表示装置で前記メニュー映像を確実に表示することができ，前記メニュー映像の表示不可状態をできる限り回避することができる。これにより，使用者は，例えば前記各種の映像のうち前記メニュー映像を除く再生映像などの映像形式を前記表示装置で表示できない映像形式に設定してしまった場合にも，前記表示装置に表示されたメニュー映像を参照しながらその再生映像などの映像形式を再度設定することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るハードディスクレコーダーＸを備えたシステムＡの概略構成を示すブロック図，図２は前記ハードディスクレコーダーＸにおいて実行される映像形式設定処理の手順の一例を説明するフローチャートである。
まず，図１のブロック図を用いて，本発明の実施の形態に係るハードディスクレコーダーＸ（以下「レコーダーＸ」という）を備えたシステムＡの概略構成について説明する。
図１に示すように，前記システムＡは，ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した通信方式で有線或いは無線により通信可能に接続されたレコーダーＸ（映像出力装置の一例）とテレビジョン受像機Ｙ（表示装置の一例）とを備えて構成されている。なお，前記通信方式は，ＤＶＩ（Ｄｉｇｉｔａｌ  Ｖｉｓｕａｌ  Ｉｎｔｅｒｆａｃｅ）規格やＤ（Ｄ１〜Ｄ５など）端子規格に準拠したものであってもかまわない。また，前記レコーダーＸは，本発明に係る映像出力装置の一例に過ぎず，本発明は，外部の表示装置に映像を出力するＤＶＤレコーダーやビデオテープレコーダー，デジタルカメラ，デジタルビデオカメラなどの映像出力装置に適用することが可能である。
このように構成された前記システムＡでは，前記レコーダーＸに設けられた後述のハードディスク１３に記憶された各種の映像が，該レコーダーＸから予め設定された映像形式で前記テレビジョン受像機Ｙに出力されることにより，該テレビジョン受像機Ｙに設けられた後述の表示部２６に表示される。
【０００９】
続いて，前記レコーダーＸの概略構成について説明する。
前記レコーダーＸは，ＣＰＵやＲＡＭなどを有してなり当該レコーダーＸを統括的に制御するマイコン１１と，前記マイコン１１に対して各種の操作入力を行うためのリモコンや本体スイッチ等からなる操作部１２と，各種の映像が記憶されるハードディスク１３と，入力された映像に各種の映像処理を施して出力する映像処理回路１４と，ＨＤＭＩ規格に準拠した通信方式に従って前記テレビジョン受像機Ｙと通信を行うための入出力インターフェース１５（以下「Ｉ／Ｆ１５」という）と，を備えて概略構成されている。なお，前記レコーダーＸは，図１に示す他に，通常のハードディスクレコーダーが備える他の構成要素も備えるが，ここでは説明を省略する。
前記操作部１２には，前記レコーダーＸの動作や機能の設定に関するメニュー映像を前記テレビジョン受像機Ｙに表示させて，該設定を開始するためのメニューボタン（不図示）が設けられている。
【００１０】
前記映像処理回路１４は，前記マイコン１１によって前記ハードディスクレコーダー１３から読み出されて入力された映像を符号化して前記Ｉ／Ｆ１５に出力し，一方，前記Ｉ／Ｆ１５から入力された映像を復号化して前記ハードディスクレコーダー１３に出力する機能を有している。
また，前記映像処理回路１４は，前記マイコン１１からの指示に応じて，前記マイコン１１から入力される映像を複数の映像形式のいずれかの映像形式で前記Ｉ／Ｆ１５に出力するものであって，具体的には，５２５ｉ，５２５ｐ，７５０ｐ，１１２５ｉ，１１２５ｐのいずれかの映像形式で映像を出力することが可能である。なお，前記映像形式の５２５ｉは走査線数が５２５本で走査方式がインターレース，５２５ｐは走査線数が５２５本で走査方式がプログレッシブ，７５０ｐは走査線数が７５０本で走査方式がプログレッシブ，１１２５ｉは走査線数が１１２５本で走査方式がインターレース，１１２５ｐは走査線数が１１２５本で走査方式がプログレッシブであることを示している。
ところで，前記映像形式には，前記Ｉ／Ｆ１５の通信方式に対応して標準的な映像形式があることは周知である。例えば，ＨＤＭＩ規格に準拠した通信方式であれば，１１２５ｉの映像形式が標準的な映像形式として用いられている。したがって，一般に，前記ＨＤＭＩ規格に準拠した通信方式で通信する機能を有する前記レコーダーＸや前記テレビジョン受像機Ｙなどは，その通信方式に対応する標準的な１１２５ｉの映像形式の映像に対応可能に構成されている。即ち，前記レコーダーＸでは，少なくとも１１２５ｉの映像形式で映像を出力することができ，前記テレビジョン受像機Ｙでは，少なくとも１１２５ｉの映像形式で映像を表示することができる。
【００１１】
続いて，前記テレビジョン受像機Ｙについて説明する。
前記テレビジョン受像機Ｙは，ＣＰＵやＲＡＭなどを有してなり当該レコーダーＸを統括的に制御するマイコン２１と，前記マイコン２１に各種の操作入力を行うための操作部２２と，地上波放送信号やＢＳ衛星放送信号，ＣＡＴＶ放送信号などのテレビジョン放送を受信するためのチューナー２３と，ＨＤＭＩ規格に準拠した通信方式に従って前記レコーダーＸと通信を行うための入出力インターフェース２４（以下「Ｉ／Ｆ２４」という）と，入力された映像に各種の映像処理を施して出力する映像処理回路２５と，前記映像処理回路２５から出力された映像を表示する液晶パネル及びその周辺機器等からなる表示部２６と，を備えて概略構成されている。なお，前記テレビジョン受像機Ｙは，図１に示す他に，通常のテレビジョン受像機が備える他の構成要素も備えるが，ここでは説明を省略する。
【００１２】
前記映像処理回路２５は，前記チューナ２３や前記Ｉ／Ｆ２４から入力された映像を復号化して前記表示部２６に表示し，一方，前記チューナー２３から入力された映像を符号化して前記Ｉ／Ｆ２４に出力する機能を有している。
また，前記映像処理回路２５は，入力された映像の映像形式が，５２５ｉ，５２５ｐ，７５０ｐ，１１２５ｉのいずれかの映像形式である場合に，その映像を前記表示部２６に表示させることが可能なものである。即ち，前記テレビジョン受像機Ｙで表示可能な映像形式には，前述したようにＨＤＭＩ規格に準拠した通信方式に対応する標準的な映像形式である１１２５ｉが含まれているが，前記レコーダーＸで出力可能である１１２５ｐの映像形式が含まれていない。そのため，前記レコーダーＸから１１２５ｐの映像形式で映像が出力された場合には，その映像は前記表示部２６に表示することができない。なお，前記映像処理回路２５において，いずれの映像形式で映像が入力されているかの判断は，例えば前記レコーダーＸから入力される映像に重畳された制御信号に基づいて行われる。
【００１３】
ところで，前述したように，従来の映像出力装置では，前記映像形式を設定するためのメニュー映像と該メニュー映像を除く再生映像とが同一の映像形式で出力されていた。即ち，使用者が前記再生映像の映像形式を変更すると，前記メニュー映像の映像形式も同時に変更されていた。そのため，当該映像出力装置に接続された表示装置で表示できない映像形式に変更された場合には，その後，前記再生映像を表示させることができないばかりか，前記メニュー映像さえも表示させることができないため，前記映像形式を再度変更することが困難であった。
しかし，この課題を解決し得る本発明の実施の形態に係るレコーダーＸでは，当該レコーダーＸの動作や機能に関する設定を行うためのメニュー映像を出力するときの映像形式については特に，ＨＤＭＩ規格に準拠した通信方式に対応する標準的な映像形式である１１２５ｉに固定となるように予め設定されている。
【００１４】
以下，図２のフローチャートに従って，前記レコーダーＸにおいて前記マイコン１１によって実行される映像形式設定処理の手順の一例について説明する。なお，図２中のＳ１，Ｓ２，…は処理手順（ステップ）の番号を表している。
まず，ステップＳ１では，当該レコーダーＸの動作や機能に関する設定の開始要求がなされたか否か，即ち前記メニュー映像の表示が要求されたか否かが前記マイコン１１によって判断される。具体的には，前記操作部１２に設けられたメニューボタンが使用者によって操作されることにより，設定開始信号が前記マイコン１１に入力されたか否かが判断される。ここで，前記メニューボタンが操作されて前記設定開始信号が入力されることにより前記設定の開始要求がなされたと判断されると（Ｓ１のＹｅｓ），処理はステップＳ２に移行する。
このステップＳ１の処理は，前記設定の開始要求がなされるまで繰り返し実行される（Ｓ１のＮｏ側）。また，図示しないが，前記ステップＳ１が繰り返されている間に使用者による前記操作部１２への他の操作によって，前記レコーダーＸから前記メニュー映像を除く再生映像が出力される場合には，その再生映像を出力する際の映像形式として予め設定された映像形式で出力される。ここに，前記再生映像を出力する際の映像形式は，初期設定により，或いは当該映像形式設定処理において設定される。
【００１５】
ステップＳ２では，前記マイコン１１によって，当該レコーダーＸの動作や機能に関する設定を行うためのメニュー映像が前記ハードディスク１３から読み出される。
そして，続くステップＳ３では，前記ステップＳ２で読み出されたメニュー映像，及び該メニュー映像を１１２５ｉの映像形式で出力する旨の指示が，前記マイコン１１によって前記映像処理部１４に伝送される。これにより，前記映像処理部１４では，前記メニュー映像が，前記マイコン１１によって指示された１１２５ｉの映像形式に調整された後，前記Ｉ／Ｆ１５に出力される。その後，前記Ｉ／Ｆ１５では，前記映像処理部１４から入力された前記メニュー映像が前記テレビジョン受像機Ｙに出力される。このように，前記レコーダーＸでは，後述するステップＳ６において再生映像の映像形式が変更されたとしても，その映像形式にかかわらず，前記メニュー映像が，予め設定された１１２５ｉの映像形式で常に出力される。
ここで，前述したように，前記テレビジョン受像機Ｙは，ＨＤＭＩ規格に対応する標準的な１１２５ｉの映像形式で映像を表示することが可能なものである。したがって，前記テレビジョン受像機Ｙでは，前記Ｉ／Ｆ２４により受信された前記メニュー映像が前記映像処理回路２５を経由して前記表示部２６に入力されることにより，そのメニュー映像が前記表示部２６で表示される。
【００１６】
その後，ステップＳ４では，当該レコーダーＸの動作や機能に関する設定の終了要求がなされたか否かが前記マイコン１１によって判断される。具体的には，前記操作部１２に設けられたメニューボタンが再度操作されたか否かが判断される。ここで，前記メニューボタンが再度操作されることにより，前記設定の終了が要求されたと判断されると（Ｓ４のＹｅｓ側），当該映像形式設定処理は終了する。一方，前記メニューボタンが操作されていないと判断されると（Ｓ４のＮｏ側），処理はステップＳ５に移行する。
【００１７】
ステップＳ５では，映像形式の設定の開始要求がなされたか否かが前記マイコン１１によって判断される。具体的には，使用者によって，前記メニュー映像の中から映像形式設定の項目が選択されたか否かが判断される。ここで，前記映像形式設定の項目が選択されることにより，映像形式の設定の開始要求がなされたと判断されると（Ｓ５のＹｅｓ側），処理はステップＳ６に移行する。一方，前記映像形式設定の項目が選択されない場合には，処理はステップＳ４に移行する。なお，図示しないが，前記ステップＳ４〜５の処理が繰り返されている間には，前記映像形式設定以外の項目の選択も前記マイコン１１によって監視されており，該選択に従って各種の設定処理が実行される。
【００１８】
そして，ステップＳ６で，前記テレビジョン受像機Ｙに出力する前記再生映像の映像形式の設定処理が前記マイコン１１によって実行された後，当該映像形式設定処理は終了する。このステップＳ６では，当該レコーダーＸが出力可能な映像形式の種別である５２５ｉ，５２５ｐ，７５０ｐ，１１２５ｉ，１１２５ｐが前記表示部２６に表示される。そして，使用者による前記操作部１２への操作入力によって前記映像形式のいずれかが選択された場合には，その選択された映像形式が前記再生映像を出力するときの映像形式に設定される。
例えば，使用者によって１１２５ｐの映像形式が選択されると，その後は，前記再生映像が１１２５ｐの映像形式で前記テレビジョン受像機Ｙに出力されることになる。しかし，前述したように，前記テレビジョン受像機Ｙは１１２５ｐの映像形式に対応していないため，前記再生映像が１１２５ｐの映像形式で前記テレビジョン受像機Ｙに出力されても，該テレビジョン受像機Ｙの表示部２６では前記再生映像を表示することができない。ここで，従来では前記メニュー画像も同時に表示することができなくなっていたため，前記映像形式を再度設定することが困難であった。
しかし，前記レコーダーＸでは，前述したように，前記テレビジョン受像機Ｙに出力する映像のうち少なくとも前記メニュー映像の映像形式は，ＨＤＭＩ規格に準拠した通信方式に対応する標準的な映像形式である１１２５ｉに固定されている。したがって，前記ステップＳ６で前記再生映像の映像形式が変更されたとしても，その変更された映像形式にかかわらず，前記レコーダーＸから出力されるメニュー映像を，前記テレビジョン受像機Ｙの表示部２６に表示させることができる。これにより，使用者は，前記表示部２６に表示された前記メニュー表示を参照しつつ容易に前記映像形式を再度設定することができる（Ｓ１〜Ｓ６）。
なお，前記レコーダーＸに接続する前記テレビジョン受像機Ｙは，前記メニュー映像の映像形式として固定された１１２５ｉに対応可能なものを選別することにより，該テレビジョン受像機Ｙで前記メニュー映像を確実に表示することができる。但し，前記したように，ＨＤＭＩ規格に準拠した通信方式で通信可能なテレビジョン受像機Ｙでは，その通信方式に対応する標準的な１１２５ｉの映像形式に対応していることが一般的であるため，単にＨＤＭＩ端子を有するものを選別するだけも，前記メニュー映像を表示させることができる可能性が極めて高い。
【００１９】
なお，本実施の形態では，前記レコーダーＸと前記テレビジョン受像機Ｙとが，ＨＤＭＩ規格に準拠した通信方式で通信可能に接続された場合を例に挙げて説明したため，前記メニュー映像の映像形式が１１２５ｉに固定されているが，他の通信方式，例えばＤＭＩ規格やＤ端子規格に準拠した通信方式で通信可能に接続される場合には，その通信方式に対応する標準的な映像形式に固定すればよい。
また，前記レコーダーＸに設けられた前記Ｉ／Ｆ１５が，複数の通信方式で通信可能なものである場合，例えばＨＤＭＩ端子とＤＭＩ端子とを有する場合には，その通信方式毎に対応する標準的な映像形式を固定で設定しておき，実際に用いられる通信方式に対応する標準的な映像形式でメニュー映像を出力するように構成することが望ましい。
【図面の簡単な説明】
【００２０】
【図１】本発明の実施の形態に係るハードディスクレコーダーを備えたシステムの概略構成を示すブロック図。
【図２】本発明の実施の形態に係るハードディスクレコーダーにおいて実行される映像形式設定処理の手順の一例を説明するフローチャート。
【符号の説明】
【００２１】
Ｘ…ハードディスクレコーダー（映像出力装置の一例）
Ｙ…テレビジョン受像機（表示装置の一例）
１１，２１…マイコン
１２，２２…操作部
１３…ハードディスク
１４，２５…映像処理回路
１５，２４…入出力インターフェース
２３…チューナー
２６…表示部
Ｓ１，Ｓ２，，，…処理手順（ステップ）番号
【図１】
2007124560.tif 000003
【図２】
2007124560.tif 000004